(57)【特許請求の範囲】
【請求項１】
電子機器の側面に設けられ、電子機器の内部と外部とを連通している複数の通気穴と、
前記複数の通気穴を通して空気を吸い込み又は排出するファンと、
前記側面に形成され、前後方向で延びている第１の溝と、を有し、
前記複数の通気穴は前記側面の前記第１の溝の内面に形成され、
電子機器の前面には、左右方向で延び且つ端部が前記第１の溝の前端に繋がっている第２の溝が形成され、
前記第２の溝の内面にコネクタを露出させるための開口と記録媒体の挿入口のうち少なくとも１つが形成されている、
ことを特徴とする電子機器。
【請求項２】
電子機器の側面に設けられ、電子機器の内部と外部とを連通している複数の通気穴と、
前記複数の通気穴を通して空気を吸い込み又は排出するファンと、
前記側面に形成され、前後方向で延びている第１の溝と、を有し、
前記複数の通気穴は前記側面の前記第１の溝の内面に形成され、
電子機器の後面には、左右方向で延び且つ端部が前記第１の溝の後端に繋がっている第３の溝が形成され、
前記第３の溝の内面にコネクタを露出させるための開口又は通気穴のうち少なくとも一方が形成されている、
ことを特徴とする電子機器。
【請求項３】
請求項１又は２に記載の電子機器において、
前記第１の溝の内面は上下方向で互いに向き合う第１の面及び第２の面と、前記第１の面と前記第２の面とを繋ぐ第３の面とを含み、
前記複数の通気穴は前記第１の面と前記第２の面のうち少なくとも一方に形成されている、
ことを特徴とする電子機器。
【請求項４】
電子機器の側面に設けられ、電子機器の内部と外部とを連通している複数の通気穴と、
前記複数の通気穴を通して空気を吸い込み又は排出するファンと、
前記側面に形成され、前後方向で延びている第１の溝と、を有し、
前記複数の通気穴は前記側面の前記第１の溝の内面に形成され、
前記第１の溝は前記側面の前縁まで延びており、前記第１の溝の前端は前方に向かって開口しており、
電子機器の前面は底面の前縁から上方に延びるとともに後方に傾斜している、
ことを特徴とする電子機器。
【請求項５】
電子機器の側面に設けられ、電子機器の内部と外部とを連通している複数の通気穴と、
前記複数の通気穴を通して空気を吸い込み又は排出するファンと、
前記側面に形成され、前後方向で延びている第１の溝と、を有し、
前記複数の通気穴は前記側面の前記第１の溝の内面に形成され、
前記第１の溝は前記側面の後縁まで延びており、前記第１の溝の後端は後方に向かって開口している、
電子機器の後面は底面の後縁から上方に延びるとともに後方に傾斜している、
ことを特徴とする電子機器。
【請求項６】
請求項１乃至５のいずれかに記載の電子機器において、
電子機器の前面と上面とには前後方向において伸びる第４の溝が形成され、
前記第４の溝にボタンが配置されている、
ことを特徴とする電子機器。
【発明の詳細な説明】
【技術分野】
【０００１】
本発明は、縦置きと横置きとが可能な電子機器に関する。
【背景技術】
【０００２】
従来、ゲーム装置やオーディオ・ビジュアル機器として機能する電子機器が利用されている。この種の電子機器のなかには、冷却ファンの駆動により外気を吸い込み、外気を利用してＣＰＵやＧＰＵなどのマイクロプロセッサーを冷却するものがある（例えば、米国特許第７７５５８９６号明細書）。冷却ファンを内蔵する電子機器には、空気を吸い込み或いは排出するための通気穴が形成されている。
【発明の概要】
【０００３】
米国特許第７７５５８９６号明細書では、電子機器の側面に通気穴が設けられている。ところが、電子機器のなかには、底面が下側に位置する横置きと、側面が下側に位置する縦置きとが使用時の配置として想定されているものがある。このような電子機器では、縦置きしたときに通気穴が塞がれるので、側面に形成した通気穴の通気効率が低下する。
【０００４】
本開示における電子機器は、その側面に形成され、電子機器の内部と外部とを連通している複数の通気孔と、前記複数の通気孔を通して空気を吸い込み又は排出するファンと、前記側面に形成され、前後方向で延びている第１の溝と、を有している。前記複数の通気穴は前記側面の前記第１の溝の内面に形成されている。これによれば、縦置き時に通気穴が塞がることを抑えることができるので、通気効率の低下を抑えることができる。
【図面の簡単な説明】
【０００５】
【図１】本発明の実施形態に係る電子機器の上面を前側から臨む斜視図である。
【図２】電子機器の正面図である。
【図３】電子機器の平面図である。
【図４】電子機器の側面図である。
【図５】電子機器が備える下カバー、上カバー及びフレームの分解斜視図である。
【図６】図３に示すＶＩ−ＶＩ線での断面図である。
【図７】図３に示すＶIＩ−ＶIＩ線での断面図である。
【図８】電子機器の底面を後側から臨む斜視図である。
【図９】下カバーの斜視図である。
【図１０】上カバーの内側を臨む斜視図である。
【発明を実施するための形態】
【０００６】
以下、本発明の一実施形態について図面を参照しながら説明する。図１は、本発明の実施形態に係る電子機器１の上面を前側から臨む斜視図である。図２は電子機器１の正面図であり、図３は平面図であり、図４は側面図である。図５は電子機器１が備える下カバー２０、上カバー３０及びフレーム５０の分解斜視図である。図６は図３に示すＶＩ−ＶＩ線での断面図であり、図７は図３に示すＶIＩ−ＶIＩ線での断面図である。図８は電子機器の底面を後側から臨む斜視図である。図９は下カバー２０の斜視図である。図１０は上カバー３０の内側を臨む斜視図である。以下の説明において、図１に示すＹ１及びＹ２はそれぞれ前方及び後方である。Ｘ１及びＸ２はそれぞれ右方向及び左方向である。Ｚ１及びＺ２はそれぞれ上方及び下方である。
【０００７】
電子機器１はゲーム装置やオーディオ・ビジュアル機器として機能するエンタテインメント装置である。電子機器１は、例えば、光ディスクなどの記録媒体からゲームプログラムや映像・音声データを取得する。電子機器１は、無線及び／又は有線の通信機能を有している。したがって、他の例では、電子機器１は通信機能を利用してゲームプログラムや映像・音声データを取得する。電子機器１は、ゲームプログラムの実行により生成した動画像データや、取得した映像・音声データをテレビジョンなどの表示装置に出力する。
【０００８】
電子機器１の前面には、光ディスクを挿入するための挿入口５２ｃが設けられている（図２参照）。また、電子機器１の前面には、ゲームコントローラや外部装置などを接続するためのコネクタ７が設けられている。図２の例では、２つのコネクタ７が前面に設けられている。なお、これら挿入口５２ｃやコネクタ７は必ずしも設けられていなくてもよい。図３に示すように、電子機器１は、ＣＰＵやメモリーなどの集積回路が実装された回路基板２や、外部の空気を吸い込むための冷却ファン３、電源ユニット（不図示）などを有している。回路基板２上の集積回路や電源ユニットは、冷却ファン３が形成する空気流によって冷却される。
【０００９】
電子機器１の概略の外形は、６つの面のそれぞれが四角形で、対向する２面が実質的に平行な六面体である。すなわち、電子機器１の上面及び底面は実質的に平行であり、前面及び後面も実質的に平行であり、左右の側面も実質的に平行である。左右の側面は平らである。そのため、電子機器１は、底面が下側に位置する横置きと、側面が下側に位置する縦置きとを選択できる。ここで説明する例の電子機器１は、側面視において略平行四辺形となっている（図４参照）。電子機器１のその他の面は略長方形である。
【００１０】
電子機器１は、その外形を構成する下カバー２０と上カバー３０とを有している。ここで説明する例では、上カバー３０は右上カバー３０Ｒと左上カバー３０Ｌとを含み、これらは左右方向で分割可能となっている（図５参照）。電子機器１は、回路基板２や冷却ファン３など、電子機器１が内蔵する種々の部品や装置が取り付けられるフレーム５０を含んでいる（図５参照）。下カバー２０はフレーム５０の下側を覆い、フレーム５０に取り付けられている。上カバー３０はフレーム５０の上側を覆い、フレーム５０に取り付けられている。フレーム５０は、電子機器１が内蔵する装置が配置されるスペースを規定している。例えば、スペースＳ１には冷却ファン３が配置される。また、挿入口５２ｃの後側には光ディスクドライブが配置され、フレーム５０は光ディスクドライブを覆っている。フレーム５０は例えば樹脂によって成形される。
【００１１】
図１に示すように、電子機器１の側面には、電子機器１の内部と外部とを連通する複数の通気穴ｈが設けられている。ここで説明する例の通気穴ｈは吸気用の穴である。冷却ファン３の駆動により、空気は通気穴ｈを通して電子機器１の内部に吸い込まれる。電子機器１の側面には前後方向に延びている溝ａ１が形成されている。ここで説明する例では、側面には１つの溝ａ１が形成されている。溝ａ１は上下方向における側面の中心を通り、且つ、電子機器１の上面及び底面とに対して実質的に平行となっている。
【００１２】
複数の通気穴ｈは溝ａ１の内面に形成され、溝ａ１の延伸方向（前後方向）で並んでいる。側面に形成される複数の通気穴ｈの全部又は大部分が溝ａ１に位置している。すなわち、複数の通気穴ｈの位置は溝ａ１に集中している。図１の例では、複数の通気穴ｈの全部が溝ａ１の内面に形成され、側面における他の部分には通気穴ｈは形成されていない。こうすることにより、電子機器１を縦置きしている場合でも、通気穴ｈが塞がらないので、縦置き時の吸気効率の低下を抑えることができる。溝ａ１と通気穴ｈは電子機器１の左右の側面の双方に形成されている。通気穴ｈは一方の側面にのみ形成されてもよい。
【００１３】
図１に示すように、溝ａ１は電子機器１の側面の前縁ｂ１まで延びている。溝ａ１の前端は前方に向かって開口している。また、溝ａ１は電子機器１の側面の後縁ｃ１まで延びている。溝ａ１の後端は後方に向かって開口している。この構造によれば、電子機器１を縦置きしている場合、溝ａ１の前端と後端とを通して溝ａ１に空気が流れる。この空気は通気穴ｈを通して電子機器１に吸い込まれる。
【００１４】
図４に示すように、電子機器１の前面と後面は鉛直面に対して傾斜している。具体的には、前面は底面から上方に延びるとともに後側に傾斜している。後面は底面から上方に延びるとともに後側に傾斜している。このため、棚などの狭い場所に電子機器１を収納した場合でも、前面の前側と後面の後側とにスペースが形成される。その結果、溝ａ１の前端と後端とを通して溝ａ１に流れる空気の流れを円滑化できる。
【００１５】
図６に示すように、フレーム５０は、電子機器１の側面に沿った側壁部５１を有している。側壁部５１には、側方に張り出し且つ上下方向で向き合う張り出し部５１ａ，５１ｂが形成されている。張り出し部５１ａ，５１ｂは前後方向において延びている。側壁部５１と張り出し部５１ａ，５１ｂとによって溝ａ１が構成されている。通気穴ｈは張り出し部５１ａ，５１ｂに形成されている。側壁部５１には通気穴ｈは形成されていない。
【００１６】
換言すると、溝ａ１の内面は、上下方向で対向する２つの面を有している。すなわち、溝ａ１は、張り出し部５１ａが形成している第１面と、張り出し部５１ｂが形成している第２面とを有している。また、溝ａ１の内面は、第１面と第２面とを繋ぐ第３面（側壁部５１が形成している面）を有している。通気穴ｈは第１面及び第２面に形成されている。この構造によれば、電子機器１の外観において通気穴ｈが目立つことを抑えることができる。通気穴ｈは下側の張り出し部５１ａ（第１面）と上側の張り出し部５１ｂ（第２面）のうちいずれか一方にのみ形成されてもよい。
【００１７】
上述の張り出し部５１ａ，５１ｂの端縁には、前後方向に延びている取付壁部５１ｃ，５１ｄが形成されている。取付壁部５１ｃは張り出し部５１ａに対して溝ａ１とは反対側（下側）に突出している。同様に、取付壁部５１ｄは張り出し部５１ｂに対して溝ａ１とは反対側（上側）に突出している。下カバー２０は、電子機器１の底面を構成する底面部２１と、電子機器１の側面を構成する側面部２２とを有している。側面部２２に通気穴は形成されておらず、側面部２２は平らな外面を有している。張り出し部５１ａと取付壁部５１ｃは、下カバー２０の底面部２１と側面部２２の内側に配置されている。側面部２２は取付壁部５１ｃに沿って配置され、その内面に形成され且つ前後方向において並ぶ複数の係合部２２ａを通して取付壁部５１ｃに取り付けられている。図６の例では、係合部２２ａは突起である。取付壁部５１ｃには複数の穴又は凹部が形成されている。係合部２２ａは取付壁部５１ｃに形成された穴又は凹部に嵌まっている。
【００１８】
上カバー３０は、電子機器１の上面を構成する上面部３１と、電子機器１の側面を構成する側面部３２とを有している。側面部３２に通気穴は形成されておらず、側面部３２は平らな外面を有している。張り出し部５１ｂと取付壁部５１ｄは、上面部３１と側面部３２の内側に配置されている。側面部３２は取付壁部５１ｄに沿って配置され、その内面に形成された複数の係合部３２ａを通して取付壁部５１ｄに取り付けられている。図６の例では、係合部３２ａは突起である。取付壁部５１ｄには複数の穴又は凹部が形成されている。係合部３２ａは取付壁部５１ｄに形成された穴又は凹部に嵌まっている。
【００１９】
溝ａ１の構造は、以上説明したものに限られない。例えば、張り出し部５１ａは下カバー２０と一体的に形成され、張り出し部５１ｂは上カバー３０と一体的に形成されていてもよい。
【００２０】
図６に示すように、張り出し部５１ａは、隣接する２つの通気穴ｈを仕切る壁部５１ｅを有している。壁部５１ｅは上下方向に対して直交する方向に向いている。ここで説明する例では、壁部５１ｅは前後方向に対して斜めに配置されている。壁部５１の縦幅は、電子機器１の内部が露出しないように設定されている。
【００２１】
電子機器１は、その前面に、左右方向に延びている溝ａ２を有している。溝ａ２は上下方向における前面の中心を通っている。上述したように、前面には、挿入口５２ｃとコネクタ７とが設けられている。挿入口５２ｃとコネクタ７は溝ａ２に位置し、左右方向において並んでいる。これにより、挿入口５２ｃとコネクタ７が電子機器１の外観において目立ち難くなる。また、塵がコネクタ７や挿入口５２ｃに入ることを抑えることができる。溝ａ２は前面の右端から左端まで延びている。溝ａ２の端部は側面に形成した溝ａ１に繋がっている。
【００２２】
図７に示すように、フレーム５０は電子機器１の前面に沿って配置される前壁部５２を有している。前壁部５２にはコネクタ７を露出させるための開口や、挿入口５２ｃが形成されている。下カバー２０は、底面部２１の前縁から上方に延び、電子機器１の前面を構成する前面部２３を有している。前面部２３は前壁部５２の前側に位置している。前面部２３の上縁には前壁部５２に向かって延びる張り出し部２３ａが形成されている。上カバー３０は、上面部３１の前縁から下方に延び電子機器１の前面を構成する前面部３３を有している。前面部３３は前壁部５２の前側に位置している。前面部３３の下縁にも、前壁部５２に向かって延びている張り出し部３３ａが形成されている。張り出し部２３ａ，３３ａは上下方向で向き合っている。張り出し部２３ａ，３３ａと前壁部５２とによって溝ａ２が形成されている。すなわち、溝ａ２の内面は、溝ａ１と同様に、上下方向で対向する第１面と第２面と、第１面と第２面とを繋ぐ第３面とを有している。第１面と第２面は張り出し部２３ａ，３３ａによってそれぞれ形成され、第３面は前壁部５２によって形成されている。挿入口５２ｃとコネクタ７を露出させるための開口は、溝ａ２の第３面に形成されている。ここで説明する例の前面部２３は後側に傾斜している。また、前面部３３は下方に延びるとともに前側に傾斜している。これらは溝ａ２を挟んで互いに反対側に位置し、同一平面を構成している。
【００２３】
張り出し部２３ａ，３３ａの縁と、前壁部５２との間には、通気穴（ここで説明する例では吸気用の穴）として機能するクリアランスＣが形成されている。冷却ファン３の駆動により、クリアランスＣを通して空気が吸い込まれる。すなわち、溝ａ１の内面だけでなく溝ａ２の内面にも通気穴が設けられている。
【００２４】
前壁部５２には、クリアランスＣを確保するための複数のリブ５２ａ，５２ｂが形成されている。リブ５２ａは前壁部５２から前面部２３及び底面部２１に向かって突出している。リブ５２ｂは前壁部５２から前面部３３に向かって突出している。
【００２５】
前壁部５２は、張り出し部３３ａの位置を超えて上方に延びている。また、前壁部５２は張り出し部２３ａの位置を超えて下方に延びている。このため、クリアランスＣを通して電子機器１の内部が露出することを、防ぐことができる。なお、クリアランスＣは必ずしも設けられていなくてもよい。この場合、張り出し部２３ａ，３３ａは前壁部５２に形成されてもよい。
【００２６】
図９に示すように、下カバー２０の前面部２３に形成している張り出し部２３ａは、側面部２２の前端の上縁まで延びている。すなわち、側面部２２の上縁と前面部２３の上縁との間の角に張り出し部２３ａの端部２３ｂが設けられている。張り出し部２３ａの端部２３ｂはそれらの角からフレーム５０に向かって延びている。また、この例の下カバー２０は、後において詳説するように、後面部２４を有している。後面部２４の上縁にも張り出し部２４ａが形成されている。張り出し部２４ａは側面部２２の後端の上縁まで延び、側面部２２の上縁と後面部２４の上縁との間の角に張り出し部２４ａの端部２４ｄが設けられている。つまり、下カバー２０の上縁の４角に張り出し部が設けられている。４角の張り出し部は全体としてフレーム５０を取り囲んでいる。角に設けられた張り出し部はフレーム５０の張り出し部５１ａとともに溝ａ１の第１面を構成する。この構造によれば、下カバー２０とフレーム５０の角において隙間が生じていた場合でも、その隙間が目立ちにくくなるので、良好な外観を確保し易くなる。また、前面部２３と側面部２２と後面部２４の剛性を確保し易くなる。
【００２７】
上カバー３０も、下カバー２０と同様に、その角に張り出し部を有している。詳細には、図１０に示すように、前面部３３の張り出し部３３ａは、側面部３２の前端の下縁まで延びている。すなわち、側面部３２の下縁と前面部３３の下縁との間の角に張り出し部３３ａの端部３３ｂが設けられている。また、上カバー３０は、後において詳説するように、後面部３４を有している。後面部３４の下縁にも張り出し部３４ａが形成されている。張り出し部３４ａは側面部３２の後端の下縁まで延びており、側面部３２の下縁と後面部３４の下縁との角に、張り出し部３４ａの端部３４ｄが設けられている。つまり、上カバー３０の下縁の４角に張り出し部が設けられている。角に設けられた張り出し部はフレーム５０の張り出し部５１ｂとともに溝ａ１の第２面を構成する。この構造によれば、上カバー３０とフレーム５０の角において隙間が生じていた場合でも、その隙間が目立ちにくくなるので、良好な外観を確保し易くなる。また、前面部３３と側面部３２と後面部３４の剛性を確保し易くなる。
【００２８】
図１に示すように、電子機器１の前面にはボタン９ａ，９ｂが設けられている。ボタン９ａ，９ｂのうち一方は、例えば電源ボタンであり、他方は例えば光ディスクの取り出しボタンである。ボタン９ａは溝ａ２の下側に位置し、ボタン９ｂは溝ａ２の上側に位置している。ボタン９ａ，９ｂは電子機器１の前面に対して前方に突出していない。すなわち、ボタン９ａ，９ｂの前面は、前面部２３，３３が構成する平面と同一平面に、或いは、前面部２３，３３が構成する平面よりも僅かに後方に、位置している。上述したように、電子機器１の前面は後側に傾斜している。このため、ボタン９ａ，９ｂが死角になることを抑えることができる。例えば、電子機器１が縦置きされ、電子機器１の底面が棚の奥の面に当てられている場合でも、電子機器１の前面が傾斜しているのでユーザはボタン９ａ，９ｂを見ることができる。
【００２９】
下カバー２０の前面部２３には、上下方向において延びている溝が形成されている。ボタン９ａは縦に細長い部材であり、前面部２３の溝に配置されている。上カバー３０の前面部３３にも上下方向において延びている溝が形成されている。ボタン９ｂは縦に細長い部材であり、前面部３３の溝に配置されている。前面部２３の溝の延長上に前面部３３の溝が位置している。すなわち、左右方向における下カバー２０の溝の位置と、左右方向における上カバー３０の溝の位置は一致している。
【００３０】
上述したように，上カバー３０は左上カバー３０Ｌと右上カバー３０Ｒとを含み、それらは左右方向で分離可能となっている。図５の例では、左上カバー３０Ｌの右縁と右上カバー３０Ｒの左縁とに、互いに係合する係合部３１ｃ，３１ｄがそれぞれ形成されている。例えば、係合部３１ｃ，３１ｄのうち一方の係合部は、他方の係合部に引っ掛かるばね部を有する。
【００３１】
左上カバー３０Ｌと右上カバー３０Ｒの間には、それらが結合した状態で、溝が形成される。詳細には、左上カバー３０Ｌの前面部３３Ｌと右上カバーの前面部３３Ｒの間に、ボタン９ｂが配置される上述の溝が形成される。左上カバー３０Ｌの上面部３１Ｌと、右上カバー３０Ｒの上面部３１Ｒとの間には前後方向において延びる溝ａ４（図１）が形成されている。上面部３１Ｌ，３１Ｒの間の溝は、それらの前縁から後縁まで延びている。この溝ａ４の前端は前面部３３Ｌ，３３Ｒの溝に繋がっている。上面部３１Ｌ，３１Ｒの間の溝ａ４には、電子機器１の動作状態（例えば、電源のオン／オフ状態）を示すインジケータが設けられてもよい。すなわち、上面部３１Ｌ，３１Ｒの溝ａ４には、電子機器１の動作状態に応じた色で光る発光部が設けられてもよい。
【００３２】
ここで説明する例では、電子機器１の前面及び上面に設けられている上述の溝は、さらに背面及び底面に延伸し、電子機器１の全体を取り囲んでいる。すなわち、図８に示すように、下カバー２０の底面部２１には前後方向に延びる溝ａ５が形成されている。底面部２１の溝ａ５の前端は、ボタン９ａが配置された溝に繋がっている。後述する下カバー２０の後面部２４には、底面部２１の溝ａ５から延びる溝ａ６が形成されている。また、後述する上カバー３０の後面部３４には、上面部３１の溝ａ４から延びる溝ａ７が形成されている。
【００３３】
図８に示すように、下カバー２０の底面部２１の溝の前端と後端とには、底面部２１に対して僅かに突出した支持部２１ｃが設けられている。電子機器１が横置きされる場合に、支持部２１ｃは電子機器１を支持する。支持部２１ｃは溝ａ５に対応した幅を有している。これによれば、支持部２１ｃが目立ちにくくなる。また、底面部２１の右側又は左側の縁（ここで説明する例では右縁）には、底面部２１に対して僅かに突出した支持部２１ｄが設けられる。
【００３４】
電子機器１はユーザによる取り替えが可能な部品を有している。電子機器１は、この部品の例として、ハードディスクドライブ８を有している（図３及び図５参照）。ハードディスクドライブ８はフレーム５０上に配置され、左上カバー３０Ｌによって覆われている。上述したように、左上カバー３０Ｌは右上カバー３０Ｒから分離可能となっている。ユーザは左上カバー３０Ｌを外すことで、ハードディスクドライブ８を交換できる。
【００３５】
左上カバー３０Ｌは電子機器１の４つの面を構成している。すなわち、図１に示すように、左上カバー３０Ｌは上面部３１Ｌと側面部と前面部３３Ｌと後面部３４Ｌとを含み、これらは電子機器１の上面、側面、前面、及び後面を構成している。そのため、左上カバー３０Ｌを取り外すと、フレーム５０の広い範囲が露出する。そのため、ハードディスクドライブ８の取り替え作業の作業性を向上できる。
【００３６】
図８に示すように、電子機器１の背面には複数のコネクタが設けられている。コネクタ６ａは電源コネクタである。コネクタ６ｂ，６ｃ，６ｄ，６ｅは、例えば、ＡＶ端子や、イーサネット（登録商標）などの通信用端子、外部機器を接続するためのＡＵＸ端子などである。コネクタ６ａは背面における下側部分に設けられ、コネクタ６ｂ，６ｃ，６ｄ，６ｅは背面における上側部分に設けられている。上述したように、電子機器１の後面は後側に傾斜している。そのため、コネクタ６ｂ，６ｃ，６ｄ，６ｅに接続したケーブルの端部に外力が作用することを抑えることができる。コネクタ６ａ，６ｂ，６ｃ，６ｄ，６ｅは後面における左右方向の一方側（ここで説明する例では右側）に配置されている。電子機器１の縦置き時には、当該一方側が下側になるように配置される。
【００３７】
後において説明するように、下カバー２０と右上カバー３０Ｒは後面の螺子によってフレーム５０に取り付けられている。その一方で、左上カバー３０Ｌのフレーム５０への取付には螺子は利用されておらず、係合部３１ｃ，３１ｄの係合を解消することにより、左上カバー３０Ｌは取り外すことができる。すなわち、左上カバー３０Ｌは下カバー２０と右上カバー３０Ｒとに比べて容易に取り外すことができる。コネクタ６ａ，６ｂ，６ｃ，６ｄ，６ｅはいずれも取り外しが比較的困難なカバー（下カバー２０と右上カバー３０Ｒ）の内側に位置している。
【００３８】
電子機器１の背面には複数の通気穴ｐが設けられている（ここで説明する例では、通気穴ｐは排気用の穴である）。冷却ファン３の駆動により、通気穴ｐを通して空気が排出される。上述したように、電子機器１の背面は後方に傾斜している。そのため、電子機器１を棚など比較的狭い場所に収納した場合でも、背面の後側にスペースが形成されるため、排気効率が低下することを抑えることができる。
【００３９】
図８に示すように、下カバー２０は、底面部２１の後縁から上方に延びるとともに後側に傾斜している後面部２４（図９参照）を有している。上カバー３０は上面部３１の後縁から下方に延びるとともに前側に傾斜している後面部３４（図１０参照）を有している。フレーム５０は、後面部２４，３４の内側に位置し、且つ後面部２４，３４に沿って配置される後壁部５３（図５参照）を有している。通気穴ｐはフレーム５０の後壁部５３に形成されている。隣接する２つの通気穴ｐはルーバー５３ａによって仕切られている。カバー２０，３０の後面部２４，３４には、通気穴ｐ或いはコネクタ６ａ，６ｂ，６ｃ，６ｄ，６ｅを露出させるための開口２４ｂ，３４ｂ（図９及び図１０参照）が形成されている。
【００４０】
上カバー３０と下カバー２０とに後面部２４，３４を設けることにより、これらの剛性を増すことができている。図１０に示すように、後面部３４の下縁には、後壁部５３に向かって延びる張り出し部３４ａが形成されている。図９に示すように、後面部２４の上縁には後壁部５３に向かって延びる張り出し部２４ａが形成されてる。後面部３４の張り出し部３４ａと後面部２４の張り出し部２４ａは上下方向で対向している。これにより、電子機器１の背面においては、２つの張り出し部２４ａ，３４ａ及び後壁部５３で構成される溝ａ３（図４参照）が形成されている。すなわち、溝ａ３の内面は、溝ａ１と同様に、上下方向で対向する第１面と第２面と、第１面と第２面とを繋ぐ第３面とを有している。第１面と第２面は張り出し部２４ａ，３４ａによってそれぞれ形成され、第３面は後壁部５３によって形成されている。第３面に複数の通気穴ｐが形成されている。溝ａ３の左右の端部は側面に形成された溝ａ１に繋がっている。すなわち、電子機器１の全周に一連の溝ａ１，ａ２，ａ３が形成されている。なお、背面の溝ａ３は必ずしも形成されていなくてもよい。
【００４１】
電子機器１には、通気穴ｈ，ｐ、コネクタ７を露出させるための開口、及び記録媒体の挿入口５２ｃが形成されている。これらの穴や開口は溝ａ１，ａ２，ａ３の内面に形成されている。特に電子機器１の側面及び前面においては、通気穴ｈ、コネクタ７を露出させるための開口、及び記録媒体の挿入口５２ｃの位置は溝ａ１，ａ２に集中している。この構造によれば、穴や開口の位置が電子機器１の外面において分散している構造に比して、電子機器１の外装部材の剛性を確保することが容易となる。この例では、通気穴ｈ、コネクタ７を露出させるための開口及び記録媒体の挿入口５２ｃはフレーム５０に形成されている。そのため、外装部材であるカバー２０，３０の剛性を確保することが容易となる。また、ボタン９ａ，９ｂ及びインジケータは前面に形成された溝及び上面に形成された溝ａ４に配置されている。つまり、ボタン９ａ，９ｂ及びインジケータも比較的小さな領域に集約している。そのため、これらがが電子機器１の外面において分散している構造に比して、外装部材の剛性を確保することが容易となる。
【００４２】
図９に示すように、下カバー２０の後面部２４には、下カバー２０をフレーム５０に固定する螺子を差し込むための穴２４ｃが形成されている。上述したように、下カバー２０の左右の側面部２２にはフレーム５０の側壁部５１に取り付けるための係合部２２ａが設けられている。右上カバー３０Ｒの後面部３４Ｒには、右上カバー３０Ｒをフレーム５０に固定する螺子を差し込むための穴３４ｃ（図８参照）が形成されている。また、右上カバー３０Ｒの左縁に設けられた係合部３１ｄも螺子でフレーム５０に取り付けられる。一方、左上カバー３０Ｌのフレーム５０への取り付けに螺子は利用されていない。すなわち、左上カバー３０Ｌは、右上カバー３０Ｒに係合する係合部３１ｃと、左上カバー３０Ｌの側面部に形成された係合部３２ａ（図６参照）とによって固定されている。そのため、ユーザはハードディスクドライブ８の交換時にそれらの係合を解消することにより、左上カバー３０Ｌを取り外すことができる。
【００４３】
以上説明したように、電子機器１では、側面に溝ａ１が形成され、側面に設けられた複数の通気穴ｈは溝ａ１に形成されている。そのため、電子機器の縦置き時においても通気穴ｈが塞がることを抑えることができるので、通気効率の低下を抑えることができる。
【００４４】
なお、本発明は以上説明した電子機器１に限られず、種々の変更がなされてよい。
【００４５】
例えば、側面の溝ａ１には通気穴として排気用の穴が設けられてもよい。
【００４６】
フレーム５０は必ずしも設けられていなくてもよい。この場合、上カバー３０と下カバー２０とが合体して箱状の筐体を構成してもよい。
【００４７】
上カバー３０は必ずしも左上カバー３０Ｌと右上カバー３０Ｒとに分離されなくてもよい。
【００４８】
電子機器１は必ずしも側面視において平行四辺形でなくてもよい。例えば、電子機器１は側面視において略長方形でもよい。
【図１】
0006055090.tif 000002
【図２】
0006055090.tif 000003
【図３】
0006055090.tif 000004
【図４】
0006055090.tif 000005
【図５】
0006055090.tif 000006
【図６】
0006055090.tif 000007
【図７】
0006055090.tif 000008
【図８】
0006055090.tif 000009
【図９】
0006055090.tif 000010
【図１０】
0006055090.tif 000011